(57)【要約】【課題】  一定期間の通信劣化を発生させずかつよりよい通信状況にあるアンテナを有効に活用する。【解決手段】  通信制御部１６１から送られてきたデータ信号の終端が電力測定信号付加部２０２に供給されるタイミングを送信終端タイミング生成部２０１で生成する。そのタイミングに基づいて電力測定信号付加部２０２は、データ信号の終端に電力測定信号を付加する。電力測定信号を送信アンテナ切り換え指示部２０３からの指示によって切り換え複数のアンテナで送信する。受信側においては、電力測定信号を受信アンテナ切り換え指示部２０４からの指示によって複数のアンテナで受信する。測定タイミング生成部２０５からの通知によって電力測定部２０７において複数のアンテナで受信した電力測定信号に対し電力の測定を開始する。この電力の測定結果から次の送受信に用いるべきアンテナが決定される。【選択図】      図２
2006287820.tif 000002
【特許請求の範囲】
【請求項１】
データ信号を送信する送信装置において、
前記データ信号の終端の後に電力測定に用いる電力測定信号を付加する電力測定信号付加手段と、
前記データ信号の長さおよび前記データ信号の通信速度を含む制御情報に基づいて前記データ信号の終端が電力測定信号付加手段に供給される供給タイミングを生成する送信終端タイミング生成手段と
を具備し、
前記電力測定信号付加手段は、前記供給タイミングに基づいて前記データ信号の終端の後に前記電力測定信号を付加することを特徴とする送信装置。
【請求項２】
前記データ信号および前記電力測定信号を送信する少なくとも２つのアンテナと、
前記供給タイミングに基づいて所定のタイミングで前記アンテナのいずれかを選択し切換える指示を与える送信アンテナ切換え指示手段と、
前記送信アンテナ切換え指示手段からの指示に基づいて前記アンテナを切り替える送信アンテナ切換え手段と
をさらに具備することを特徴とする請求項１記載の送信装置。
【請求項３】
受信装置から供給される前記アンテナのいずれを送信に用いるべきかを示す送信アンテナ決定にしたがって前記アンテナのいずれかを決定する送信アンテナ決定手段をさらに具備することを特徴とする請求項２記載の送信装置。
【請求項４】
データ信号および前記データ信号の終端の後に付加された電力測定のための電力測定信号を含む通信信号を受信する受信装置であって、
少なくとも２つのアンテナと、
前記電力測定信号について所定のタイミングで前記アンテナのいずれかを選択し切換える指示を与える受信アンテナ切換え指示手段と、
前記受信アンテナ切換え指示手段からの指示に基づいて前記アンテナを切り替える受信アンテナ切換え手段と、
前記電力測定信号を用いて電力を測定する電力測定手段と、
前記データ信号の長さおよび通信速度を含む制御情報に基づいて前記測定を開始する測定タイミングを生成する測定タイミング生成手段と、
前記電力測定手段による測定結果に基づいて次の前記データ信号の受信に用いるべき前記アンテナを決定する受信アンテナ決定手段と
を具備し、
前記受信アンテナ切換え指示手段は、前記測定タイミングに基づいて前記アンテナの切り替えの指示を開始し、
前記電力測定手段は、前記測定タイミングに基づいて前記測定を開始することを特徴とする受信装置。
【請求項５】
前記測定タイミング生成手段は、前記測定タイミングとして前記電力測定信号が前記電力測定手段に供給されるタイミングを生成することを特徴とする請求項４記載の受信装置。
【請求項６】
前記測定タイミング生成手段は、前記測定タイミングとして前記データ信号の終端が前記測定タイミング生成手段に供給されるタイミングを生成することを特徴とする請求項４記載の受信装置。
【請求項７】
前記通信信号に含まれる前記電力測定信号を破棄する電力測定信号破棄手段さらに具備することを特徴とする請求項４記載の受信装置。  
【請求項８】
前記通信信号を復調し前記測定タイミング生成手段および前記電力測定信号破棄手段に復調された前記通信信号を供給する復調手段をさらに具備し、
前記電力測定手段は、前記復調手段に入力される前記通信信号を前記電力測定信号として用いられることを特徴とする請求項４記載の受信装置。
【請求項９】
前記電力測定手段は、さらに前記データ信号の終端から所定の長さの前記データ信号も前記測定に用いることを特徴とする請求項４に記載の受信装置。
【請求項１０】
前記測定タイミング生成手段は、前記測定タイミングとして前記データ信号の終端から所定の長さの前記データ信号が前記電力測定手段に供給されるタイミングを生成することを特徴とする請求項９記載の受信装置。
【請求項１１】
前記測定が終了した後かつ前記データ信号の受信処理が終了した後に前記電力測定信号の受信処理を終了させる旨の指示を出す受信処理終了手段と、
前記打ち切る指示を受けて前記通信信号の受信が完了した旨の通知を発行する受信完了通知発行手段と
をさらに具備することを特徴とする請求項１０記載の受信装置。
【請求項１２】
前記通信信号を送信した送信装置が次の前記データ信号の送信に用いるべき前記アンテナを前記測定結果に基づいて決定し前記送信装置にその決定結果を送信する送信アンテナ決定手段をさらに具備することを特徴とする請求項４に記載の受信装置。
【請求項１３】
データ信号の送信を行う送信装置および前記データ信号の受信を行う受信装置からなる送受信システムであって、
前記送信装置は、
前記データ信号の終端の後に電力測定に用いる電力測定信号を付加する電力測定信号付加手段と、
前記データ信号の長さおよび通信速度を含む制御情報に基づいて前記データ信号の終端が前記電力測定信号付加手段に供給されるタイミングを生成する送信終端タイミング生成手段と
を備え、
前記電力測定信号付加手段は、前記供給タイミングに基づいて前記データ信号の終端の後に前記電力測定信号を付加し、
前記受信装置は、
少なくとも２つのアンテナと、
前記電力測定信号について所定のタイミングで前記アンテナのいずれかを選択し切換える指示を与える受信アンテナ切換え指示手段と、
前記受信アンテナ切換え指示手段からの指示に基づいて前記アンテナを切り替える受信アンテナ切換え手段と、
前記電力測定信号を用いて電力を測定する電力測定手段と、
前記測定を開始する測定タイミングを生成する測定タイミング生成手段と、
前記電力測定手段による測定結果に基づいて次の前記データ信号の受信に用いるべき前記アンテナを決定する受信アンテナ決定手段と
を具備し、
前記受信アンテナ切換え指示手段は、前記測定タイミングに基づいて前記アンテナの切り替えを開始し、
前記電力測定手段は、前記測定タイミングに基づいて前記測定を開始することを特徴とする送受信システム。
【請求項１４】
データ信号を送信する送信方法において、
前記データ信号の終端の後に電力測定に用いる電力測定信号を付加する電力測定信号付加手順と、
前記データ信号の長さおよび通信速度を含む制御情報に基づいて前記データ信号の終端が前記電力測定信号付加手段に供給される供給タイミングを生成する送信終端タイミング生成手順と
を具備し、
前記電力測定信号付加手順は、前記供給タイミングに基づいて前記データ信号の終端の後に前記電力測定信号を付加することを特徴とする送信方法。
【請求項１５】
データ信号および前記データ信号の終端の後に付加された電力測定のための電力測定信号を含む通信信号を少なくとも２つのアンテナで受信する受信方法であって、
前記電力測定信号について所定のタイミングで前記アンテナのいずれかを選択し切換える受信アンテナ切換え手順と、
前記電力測定信号を用いて電力を測定する電力測定手順と、
前記測定を開始する測定タイミングを生成する測定タイミング生成手順と、
前記電力測定手順による測定結果に基づいて次の前記データ信号の受信に用いるべき前記アンテナを決定する受信アンテナ決定手順と
を具備し、
前記受信アンテナ切換え指示手順は、前記測定タイミングに基づいて前記アンテナの切り替えを開始し、
前記電力測定手順は、前記測定タイミングに基づいて前記測定を開始することを特徴とする受信方法。
【発明の詳細な説明】
【技術分野】
【０００１】
本発明は、少なくとも２つのアンテナを備える送信装置、受信装置およびこれらの装置の処理方法に関し、特にデータ信号に付加した電力を測定するための信号を少なくとも２つのアンテナで送受信させ電力を測定させることによってよりよい通信品質のアンテナを選択させるための送信装置、受信装置およびこれらの装置の処理方法に関する。
【背景技術】
【０００２】
従来、アンテナダイバーシティ方式（アンテナ切換えダイバーシティ方式、空間ダイバーシティ方式）は、異なる複数のアンテナを用いてそれらを切り替えて通信品質のよいアンテナを用いて通信していく方式である。アンテナダイバーシティ方式では、送信側に複数のアンテナを設けたり、受信側に異なる複数のアンテナを設けたり、送信側および受信側の双方に複数のアンテナを設けたりすることが可能である。
【０００３】
通信品質の状況は複数のアンテナで受信した信号の受信レベルを測定することによって把握することができる。これに関し、２つのアンテナで通信信号を受信しそれぞれの受信レベルを測定かつ比較することにより受信レベルの高いアンテナを調べ、受信レベルの高かったアンテナを選択し送受信に用いるシステムが提案されている。（例えば、特許文献１参照。）。
【０００４】
また、通信品質のよいアンテナの選択方法として、受信レベルを測定するのではなく、物理層よりも上位のデータリンク層などで受信したアンテナごとにデータの誤り結果を集計し、誤りの少ないアンテナを選択していく方法もある。また、複数のアンテナについて受信レベルを測定してその測定結果を比較していくのではなく、受信した信号の電力値がある下限閾値を下回ったら別のアンテナを選択するなどの方法もある。
【特許文献１】特開２０００−３５３９９４号公報（図１）
【発明の開示】
【発明が解決しようとする課題】
【０００５】
上述の従来技術では、それぞれのアンテナをある一定期間他方に切り替えて通信状況を観測する必要がある。通常は他方のアンテナの通信状況が観測されている期間も通信信号の送受信は行われているが、切り替えた結果そのアンテナの通信状況が悪かった場合には通信状況が顕著に劣化してしまうことも考えられる。これは、通常の通信信号を用いて観測を行っていることに起因するものである。
【０００６】
また、下限閾値を下回った場合に別のアンテナに切り替えていく方式では、別のアンテナの通信状況がより良好な場合であっても現在選択されているアンテナの通信状況が下限閾値を下回らない限り別のアンテナに切り替えられることはなく、よりよい通信状況を得ようという場合に問題がある。
【０００７】
そこで、本発明は、一定期間の通信劣化を発生させずかつよりよい通信状況にあるアンテナを有効に活用する送受信装置を提供することを目的とする。
ことを目的とする。
【課題を解決するための手段】
【０００８】
本発明は、上記課題を解決するためになされたものであり、その第１の側面は、データ信号を送信する送信装置において、上記データ信号の終端の後に電力測定に用いる電力測定信号を付加する電力測定信号付加手段と、上記データ信号の長さおよび上記データ信号の通信速度を含む制御情報に基づいて上記データ信号の終端が上記電力測定信号付加手段に供給される供給タイミングを生成する送信終端タイミング生成手段とを具備し、上記電力測定信号付加手段は、上記供給タイミングに基づいて上記データ信号の終端の後に上記電力測定信号を付加することを特徴とする。これにより、データ信号の終端の後に電力の測定に用いる電力測定信号を付加させることが可能になり、その結果受信側に一定期間の通信劣化を発生させず通信品質のよいアンテナを選択させる前提となる情報を与えるという作用をもたらす。
【０００９】
また、この第１の側面において、上記データ信号および上記電力測定信号を送信する少なくとも２つのアンテナと、上記供給タイミングに基づいて所定のタイミングで上記アンテナのいずれかを選択し切換える指示を与える送信アンテナ切換え指示手段と、上記送信アンテナ切換え指示手段からの指示に基づいて上記アンテナを切り替える送信アンテナ切換え手段とをさらに具備することを特徴とする。これにより、データ信号の終端の後に電力測定信号を付加した通信信号を２以上のアンテナで送信させることが可能になり、一定期間の通信劣化を発生させず送信側においていずれのアンテナが通信品質の状況がよいかの前提となる情報を受信側に与えるという作用をもたらす。
【００１０】
また、受信装置から供給される上記アンテナのいずれを送信に用いるべきかを示す送信アンテナ決定にしたがって上記アンテナのいずれかを決定する送信アンテナ決定手段をさらに具備することを特徴とする。これにより、通信品質の状況のよいアンテナを選択して通信信号を送信させるという作用をもたらす。
【００１１】
また、この第２の側面は、データ信号および上記データ信号の終端の後に付加された電力測定のための電力測定信号を含む通信信号を受信する受信装置であって、少なくとも２つのアンテナと、上記電力測定信号について所定のタイミングで上記アンテナのいずれかを選択し切換える指示を与える受信アンテナ切換え指示手段と、上記受信アンテナ切換え指示手段からの指示に基づいて上記アンテナを切り替える受信アンテナ切換え手段と、上記電力測定信号を用いて電力を測定する電力測定手段と、上記データ信号の長さおよび通信速度を含む制御情報に基づいて上記測定を開始する測定タイミングを生成する測定タイミング生成手段と、上記電力測定手段による測定結果に基づいて次の上記データ信号の受信に用いるべき上記アンテナを決定する受信アンテナ決定手段とを具備し、上記受信アンテナ切換え指示手段は、上記測定タイミングに基づいて上記アンテナの切り替えの指示を開始し、上記電力測定手段は、上記測定タイミングに基づいて上記測定を開始することを特徴とする。これにより、データ信号を通信品質のよいアンテナで受信させ、一方で電力測定信号については２以上のアンテナで受信させるので２以上のアンテナそれぞれの通信品質の状況を把握させ、その結果受信側に通信品質のよいアンテナを選択させるという作用をもたらす。
【００１２】
また、この第２の側面において、上記測定タイミング生成手段は、上記測定タイミングとして上記電力測定信号が上記電力測定手段に供給されるタイミングを生成することを特徴とする。これにより、電力測定を早く開始させるという作用をもたらす。これは、通信効率の向上に資するものである。
【００１３】
また、この第２の側面において、上記測定タイミング生成手段は、上記測定タイミングとして上記データ信号の終端が上記測定タイミング生成手段に供給されるタイミングを生成することを特徴とする。これにより、データ信号の終端という明確なタイミングで電力測定およびアンテナの切り替えを行え、受信装置を複雑化させないという作用をもたらす。
【００１４】
また、この第２の側面において、上記通信信号に含まれる上記電力測定信号を破棄する電力測定信号破棄手段さらに具備することを特徴とする。これにより受信した通信信号のうち電力の測定以外では不要な電力測定信号を破棄させるという作用をもたらす。
【００１５】
また、この第２の側面において、上記通信信号を復調し上記測定タイミング生成手段および上記電力測定信号破棄手段に復調された上記通信信号を供給する復調手段をさらに具備し、上記電力測定手段は、上記復調手段に入力される上記通信信号を上記電力測定信号として用いられることを特徴とする。これにより、上記電力測定手段へ電力測定に用いられる通信信号を早く供給でき、電力の測定の開始のタイミングを早くさせるという作用をもたらす。
【００１６】
また、この第２の側面において、上記電力測定手段は、さらに上記データ信号の終端から所定の長さの上記データ信号も上記測定に用いることを特徴とする。これにより、電力測定信号を短くしてもアンテナの通信品質の状況を把握させることができ、これにより通信効率を上げさせるという作用をもたらす。
【００１７】
また、上記測定タイミング生成手段は、上記測定タイミングとして上記データ信号の終端から所定の長さの上記データ信号が上記電力測定手段に供給されるタイミングを生成することを特徴とする。これにより、電力の測定の開始のタイミングを早くさせるという作用をもたらす。
【００１８】
また、上記測定が終了した後かつ上記データ信号の受信処理が終了した後に上記電力測定信号の受信処理を終了させる旨の指示を出す受信処理終了手段と、上記打ち切る指示を受けて上記通信信号の受信が完了した旨の通知を発行する受信完了通知発行手段とをさらに具備することを特徴とする。これにより受信側では電力測定信号の処理をせずに受信動作を完了させられ、送信側において次の送信を早くさせるという作用をもたらす。
【００１９】
また、この第２の側面において、上記通信信号を送信した送信装置が次の上記データ信号の送信に用いるべき上記アンテナを上記測定結果に基づいて決定し上記送信装置にその決定結果を送信する送信アンテナ決定手段をさらに具備することを特徴とする。これにより、送信側に対しても通信品質のよいアンテナを決定する前提となる情報を与えさせるという作用をもたらす。
【００２０】
また、この第３の側面は、データ信号の送信を行う送信装置および上記データ信号の受信を行う受信装置からなる送受信システムであって、上記送信装置は、上記データ信号の終端の後に電力測定に用いる電力測定信号を付加する電力測定信号付加手段と、上記データ信号の長さおよび通信速度を含む制御情報に基づいて上記データ信号の終端が上記電力測定信号付加手段に供給されるタイミングを生成する送信終端タイミング生成手段と
を備え、上記電力測定信号付加手段は、上記供給タイミングに基づいて上記データ信号の終端の後に上記電力測定信号を付加し、上記受信装置は、少なくとも２つのアンテナと、上記電力測定信号について所定のタイミングで上記アンテナのいずれかを選択し切換える指示を与える受信アンテナ切換え指示手段と、上記受信アンテナ切換え指示手段からの指示に基づいて上記アンテナを切り替える受信アンテナ切換え手段と、上記電力測定信号を用いて電力を測定する電力測定手段と、上記測定を開始する測定タイミングを生成する測定タイミング生成手段と、上記電力測定手段による測定結果に基づいて次の上記データ信号の受信に用いるべき上記アンテナを決定する受信アンテナ決定手段とを具備し、上記受信アンテナ切換え指示手段は、上記測定タイミングに基づいて上記アンテナの切り替えを開始し、上記電力測定手段は、上記測定タイミングに基づいて上記測定を開始することを特徴とする。これにより、送信側と受信側とに一定期間の通信劣化を発生させずかつよりよい通信状況にあるアンテナを選択させ送受信させるという作用をもたらす。
【００２１】
また、この第４の側面は、データ信号を送信する送信方法において、上記データ信号の終端の後に電力測定に用いる電力測定信号を付加する電力測定信号付加手順と、上記データ信号の長さおよび通信速度を含む制御情報に基づいて上記データ信号の終端が電力測定信号付加手段に供給される供給タイミングを生成する送信終端タイミング生成手順とを具備し、上記電力測定信号付加手順は、上記供給タイミングに基づいて上記データ信号の終端の後に上記電力測定信号を付加することを特徴とする。これにより、データ信号の終端に電力の測定に用いる電力測定信号を付加させることが可能になり、その結果受信側に一定期間の通信劣化を発生させず通信品質のよいアンテナを選択させる前提となる情報を与えさせるという作用をもたらす。
【００２２】
また、この第５の側面は、データ信号および上記データ信号の終端の後に付加された電力測定のための電力測定信号を含む通信信号を少なくとも２つのアンテナで受信する受信方法であって、上記電力測定信号について所定のタイミングで上記アンテナのいずれかを選択し切換える受信アンテナ切換え手順と、上記電力測定信号を用いて電力を測定する電力測定手順と、上記測定を開始する測定タイミングを生成する測定タイミング生成手順と、上記電力測定手順による測定結果に基づいて次の上記データ信号の受信に用いるべき上記アンテナを決定する受信アンテナ決定手順とを具備し、上記受信アンテナ切換え指示手順は、上記測定タイミングに基づいて上記アンテナの切り替えを開始し、上記電力測定手順は、上記測定タイミングに基づいて上記測定を開始することを特徴とする。これにより、データ信号を通信品質のよいアンテナで受信させ、一方で電力測定信号については２以上のアンテナで受信させるので２以上のアンテナそれぞれの通信品質の状況を把握させ、その結果受信側に通信品質のよいアンテナを選択させるという作用をもたらす。
【発明の効果】
【００２３】
本発明によれば、送信側と受信側とに一定期間の通信劣化を発生させずかつよりよい通信状況にあるアンテナを選択させ送受信させるという優れた効果を奏し得る。
【発明を実施するための最良の形態】
【００２４】
次に本発明の実施の形態について図面を参照して詳細に説明する。
【００２５】
図１は、本発明の実施の形態における送受信装置１００の構成の一例を示す図である。送受信装置１００は、アンテナ１０１および１０２と、サーキュレータ１２１および１２２と、アンテナ切換えスイッチ１３１および１３５と、送信部１４１と、受信部１４２と、ダイバーシティ制御部１５１と、通信制御部１６１と、端末装置１７１とを備える。
【００２６】
アンテナ１０１および１０２は、空間に電波を放射したり、空間を伝わって来た電波をとらえる役割を果たす。サーキュレータ１２１および１２２は、三つのポートをもち，それぞれ隣り合う一つのポートにだけカップリングするデバイスである。これは、強磁界の作用により，電磁エネルギの伝播経路が回転することを利用している。本発明の実施の形態においては、サーキュレータ１２１および１２２はそれぞれアンテナ１０１および１０２からの通信信号をアンテナ切換えスイッチ１３５へ送る。また、サーキュレータ１２１および１２２は、それぞれアンテナ切換えスイッチ１３１からの信号をアンテナ１０１または１０２へ送る。
【００２７】
アンテナ切換えスイッチ１３１は、端子１３２に切り替えることによって送信部１４１からの通信信号をサーキュレータ１２１へ送る。また、端子１３３に切り替えることによって送信部１４１からの通信信号をサーキュレータ１２２へ送る。アンテナ切換えスイッチ１３５は、端子１３６に切り替えることによってサーキュレータ１２１から送られてきた信号を受信部１４２に送る。また、端子１３７に切り替えることによってサーキュレータ１２２から送られてきた信号を受信部１４２に送る。
【００２８】
送信部１４１は、ダイバーシティ制御部１５１から送られてきた通信信号を変調してアンテナ切換えスイッチ１３１へ送る。また、送信部１４１は、後述するように送信開始通知および送信完了通知をダイバーシティ制御部入力線１０１１からダーバーシティ制御部１５１を介して通信制御部１６１へ送る。受信部１４２は、アンテナ切換えスイッチ１３５から送られてきた通信信号を復調してダイバーシティ制御部入力線１００４および１０１４を介してダイバーシティ制御部１５１へ送る。また、信号の一部を復調せずにダイバーシティ制御部入力線１００４からダイバーシティ制御部１５１に送る構成とすることも可能である。また、受信部１４２は、後述するように受信開始通知および受信完了通知をダイバーシティ制御部入力線１０１２からダーバーシティ制御部１５１を介して通信制御部１６１へ送る。
【００２９】
通信制御部１６１は、主として論理層の下位層の処理を行うものであり、論理層の下位層として例えばデータリンク層におけるＭＡＣ（メディアアクセス制御）副層のフレームを処理する。また、通信制御部１６１は、後述するように送信開始要求および送信完了要求をダイバーシティ制御部入力線１００７からダーバーシティ制御部１５１を介して送信部１４１へ送る。端末装置１７１は、主として論理層の上位層の処理を行うものであり、論理層の上位層として例えばアプリケーション層におけるデータ処理を行う。ダイバーシティ制御部１５１については以下に説明する。
【００３０】
図２は、本発明の実施の形態における受信部１４２およびダイバーシティ制御部１５１の機能構成の一例を示す図である。受信部１４２は、復調前処理部２１１と、復調部２１２と、受信処理終了部２１３とを備える。
【００３１】
復調前処理部２１１は、主としてその内部に周波数変換器、信号増幅回路および信号強度表示回路（ＲＳＳＩ：Received Signal Strength Indicator）などを備え、通信信号に対して復調の前段階における所定の処理を行う。また、復調前処理部２１１で処理された通信信号は、復調部２１２および電力測定部２０７に送られる。復調部２１２は主としてその内部に離散フーリエ変換器などを備え、通信信号の復調処理を行う。復調部２１２で復調された通信信号は、ダイバーシティ制御部入力線１０１４を通じて測定タイミング生成部２０５および電力測定信号破棄部２０６へ送られる。受信処理終了部２１３は、電力測定部２０７から電力測定終了の通知を受けた後かつデータ信号の終端まで復調処理を行った後復調部２１２へ受信処理の打ち切りを指示する。この受信処理の打ち切りのタイミングは受信処理終了部２１３自身が生成する。また、受信処理終了部２１３は、後述するように受信完了通知発行部２０９へ通信信号の受信が完了した旨の通知（以下、受信完了通知と呼ぶ。）を発行させるタイミングを生成し通知する。
【００３２】
ダイバーシティ制御部１５１は、送信終端タイミング生成部２０１と、電力測定信号付加部２０２と、送信アンテナ切換え指示部２０３と、受信アンテナ切換え指示部２０４と、測定タイミング生成部２０５と、電力測定信号破棄部２０６と、電力測定部２０７と、送受信アンテナ決定部２０８と、受信完了通知発行部２０９とを備える。
【００３３】
送信終端タイミング生成部２０１は、通信制御部１６１からダイバーシティ制御部入力線１００７を通じて送られてきたデータ信号の終端が電力測定信号付加部２０２に供給されるタイミング（以下、送信終端タイミングと呼ぶ。）を生成し電力測定信号付加部２０２に通知する。送信終端タイミングの生成は、例えばデータ信号に付加されているデータ信号の長さおよび通信速度に関する情報を含むヘッダーなどの制御情報に基づいて行われる。これらの情報から送信終端タイミングは算出可能である。ここで「データ信号」とは、送信者が受信者に伝えたい内容そのものについての信号を言うものとし、ヘッダー、プリアンブルなどの制御信号は含まないものとする。また、「データ信号の終端」とはデータ信号の最後尾の部分を言うものとする。また送信終端タイミング生成部２０１は、送信終端タイミングを送信アンテナ切換え指示部２０３に対しても通知する。
【００３４】
電力測定信号付加部２０２は、送信終端タイミング生成部２０１から送信終端タイミングについての通知を受けると、そのデータ信号の終端の後に所定の長さの信号を付加し、ダイバーシティ制御部出力線１００１から通信信号を送信部１４１へ送る。この付加される信号は、受信側において電力を測定するための信号である。（以下、この所定の長さの信号を「電力測定信号」と呼ぶ。）なお、所定の長さは、その信号の変調方式、選択するアンテナの組み合わせ数、各組み合わせを測定するために必要な時間、受信側で測定を開始できるようになるまでの時間等を総合して定められる。これらは上記のことを考慮してあらかじめ設定してもよいし、また、その時々の状況を考慮して自動的に設定されるようにしてもよい。また、電力測定信号付加部２０２は、通信制御部１６１から送られてきた通信信号に対して常に電力測定信号を付加するのではなく、場合によっては電力測定信号を付けない構成とすることも可能である。
【００３５】
また、後述するように受信側での電力の測定は、電力測定信号のみを用いる場合と電力測定信号およびデータ信号の終端から所定の長さのデータ信号（以下、終端データ信号という。）を用いる場合の２つがある。終端データ信号を用いる分、前者の場合より後者の方が電力測定信号を短くできる。以上のようなことも考慮に入れて電力測定信号の所定の長さは設定される。
【００３６】
送信アンテナ切換え指示部２０３は、送信終端タイミング生成部２０１から送信終端タイミングの通知を受けると、送信アンテナ切換え線１００９からアンテナ切換えスイッチ１３１に所定のタイミングでアンテナ１０１および１０２のいずれのアンテナを選択すべきかの指示を送る。この指示にしたがって、アンテナ切換えスイッチ１３１は端子１３２および１３３のいずれかを選択し切り替えられる。
【００３７】
測定タイミング生成部２０５は、ダイバーシティ制御部入力線１０１４を通じて復調部２１２から送られてきたデータ信号のヘッダーに含まれるデータ信号の長さや通信速度などの制御情報に基づいて電力測定を開始するタイミングおよびアンテナ切り換え開始のタイミングを生成し、そのタイミングを受信アンテナ切換え指示部２０４、電力測定部２０７に通知する。
【００３８】
ここで電力測定を開始するタイミングは、例えば測定タイミング生成部２０５にデータ信号の終端が供給されるタイミングや電力測定信号が電力測定部２０７に供給されるタイミングなどいろいろ想定される。また、終端データ信号が電力の測定において用いられる場合は、終端データ信号の分も考慮してアンテナ切り換え開始のタイミングおよび電力測定を開始するタイミングは生成されることになる。また、アンテナ切り換え開始のタイミングは、例えば電力測定を開始するタイミングが想定される。後述するように電力測定に用いられる信号については複数のアンテナで受信される必要があるからである。
【００３９】
電力測定信号破棄部２０６は、データ信号の終端が自身に供給されると、データ信号の終端に付加された電力測定信号を破棄し、ダイバーシティ制御部出力線１００６を通じて電力測定信号を除く通信信号を通信制御部１６１に送る。
【００４０】
受信アンテナ切換え指示部２０４は、測定タイミング生成部２０５からアンテナ切り換え開始のタイミングの通知を受けると、受信アンテナ切換え線１０１０を通じてアンテナ切換えスイッチ１３５に所定のタイミングで端子１３６および１３７のいずれを選択すべきかの指示を送る。この指示にしたがって、アンテナ切換えスイッチ１３５は端子１３６および１３７のいずれかを選択し切り替えられ、電力測定信号はアンテナ１０１およびアンテナ１０２において受信される。
【００４１】
電力測定部２０７は、測定タイミング生成部２０５から電力測定を開始するタイミングの通知を受けるとダイバーシティ制御部入力線１００４を通じて復調前処理部２１１から送られてきた通信信号中に含まれる電力測定信号を用いて電力測定を開始する。また、電力測定部２０７は、電力測定の結果を送受信アンテナ決定部２０８に送る。また、電力測定部２０７は、電力測定が終了すると受信処理終了部２１３へ電力測定が終了した旨を通知する。
【００４２】
送受信アンテナ決定部２０８は、電力測定部２０７から送られてきた電力の測定結果に基づいて次に送られてくる通信信号をどのアンテナで受信させるかを決定（以下、受信アンテナ決定と呼ぶ。）し、その決定結果を受信アンテナ切換え指示部２０４に送る。アンテナ決定において、例えば、電力測定部２０７から送られてきた電力の測定結果のうち一番大きな電力値に相当するアンテナが選ばれる。受信アンテナ切換え指示部２０４はその決定結果に基づいて受信アンテナ切り換え線１０１０を通じてアンテナ切換えスイッチ１３５に指示を送り、アンテナ切換えスイッチ１３５は指示通りにスイッチを切換える。
【００４３】
また、送受信アンテナ決定部２０８は、電力測定部２０７から送られてきた電力の測定結果に基づいて通信信号を送信してきた送信装置が２以上のアンテナを備えていた場合、次にどのアンテナで送信させるかの決定（以下、送信アンテナ決定と呼ぶ。）をし、その決定結果をダイバーシティ制御部入出力線１００８から通信制御部１６１へ送る。そして、送信アンテナ決定を通信制御部１６１から以下に示す方法でダイバーシティ制御部入力線１００７およびダイバーシティ制御部出力線１０１３を通じて送信側に送る。送信アンテナ決定についての情報を送信側に送る方法は、例えば通信制御部１６１を含む上位層で専用のコマンドを定義してその専用コマンドに送信アンテナ決定についての情報を載せて送信側へ送ることができる。また、今回受信した信号に対するＡＣＫ（Acknowledgement）信号に送信アンテナ決定についての情報を付加し送る方法もある。また、例えばＡＣＫ信号の未使用部に送信アンテナ決定についての情報を入れて送る方法もある。
【００４４】
次の通信信号の送受信についてどのアンテナがよいかの決定は、送受信アンテナ決定部２０８で行う以外にも、送受信アンテナ決定部２０８から測定結果を通信制御部１６１に送り、通信制御部１６１や端末装置１７１の中で行うようにしてもよい。
【００４５】
受信完了通知発行部２０９は、受信処理終了部２１３から受信完了通知の発行のタイミングについての通知を受けて受信完了通知を発行する。
【００４６】
なお、ダイバーシティ制御部入力線１０１１は、後述するように送信完了通知など送信に際して行われる内部のやりとりにおいて用いられる信号線である。また、ダイバーシティ制御部出力線１０１３は、上記に述べた以外には後述するように送信開始要求および送信完了要求など送信に際して行われる内部のやりとりにおいて用いられる信号線である。
【００４７】
図３は、本発明の実施の形態における送受信装置１００を用いて通信信号の送受信を行い、受信側のアンテナのみを切り替えて通信信号の送受信を行った場合の通信信号の流れを示す図である。なお、以下の説明において送信側の送受信装置を送受信装置１００ａ、受信側の送受信装置を送受信装置１００ｂとし、それぞれの送受信装置の内部構成についても符号の後にａまたはｂを付加して区別するものとする。
【００４８】
図３（ａ）は、送信側の通信信号の流れの概要を示す図である。送信側において、通信制御部１６１ａからダイバーシティ制御部入力線１００７ａを介してダイバーシティ制御部１５１ａに通信信号が入力される。次に送信終端タイミング生成部２０１ａで通信信号のヘッダーなどに含まれるデータ信号の長さや通信速度などの制御情報から送信終端タイミングが生成され、送信終端タイミングが電力測定信号付加部２０２ａに通知される。電力測定信号付加部２０２ａは、送信終端タイミングの通知を受けるとデータ信号の終端の後に電力測定信号を付加し、ダイバーシティ制御部出力線１００１ａから出力する。
【００４９】
データ信号および電力測定信号は、送信部１４１ａで変調などの処理をされ最終的にアンテナ１０１ａまたは１０２ａから受信側に送られる。図３では送信側は、送信アンテナ切換え線１００９ａからはアンテナ切換えの指示が出されていないので一つのアンテナからデータ信号および電力測定信号を含む通信信号が受信側に送信される。
【００５０】
図３（ｂ）は、受信側での通信信号の流れの概要を示す図である。送信側からの電力測定信号を受信する際、通信信号のヘッダーなどに含まれるデータ信号の長さや通信速度などの制御情報から測定タイミング生成部２０５ｂは、アンテナ切り換え開始のタイミングを生成する。そして、測定タイミング生成部２０５ｂは、アンテナ切り換え開始のタイミングを受信アンテナ切換え指示部２０４ｂに通知を送る。アンテナ切り換え開始のタイミングの通知を受けた受信アンテナ切換え指示部２０４ｂは、所定のタイミングで受信アンテナ切換え線１０１０ｂを通じてアンテナ切換えスイッチ１３５ｂにアンテナ切換えの指示を送る。具体的には電力測定信号の所定の長さをアンテナ１０１ｂで受信させ、残りをアンテナ１０２ｂで受信させる。したがって、電力測定信号については、アンテナ１０１ｂおよびアンテナ１０２ｂの双方で受信されたものがダーバーシティ制御部１５１ｂに送られる。
【００５１】
ダイバーシティ制御部入力線１００４ｂを通じて送られてきた電力測定信号は、測定タイミング生成部２０５ｂで生成されたタイミングにしたがってダイバーシティ制御部１５１ｂの電力測定部２０７ｂで電力測定される。電力測定においては、アンテナ１０１ｂから受信した電力測定信号１１とアンテナ１０２ｂから受信した電力測定信号１２を用いて電力測定が行われる。電力測定において電力測定信号１１と電力測定信号１２の電力値が高い方に対応するアンテナが次のデータ信号を受信すべきアンテナとして用いられる。            
【００５２】
図４は、本発明の実施の形態における送受信装置１００を用いて通信信号の送受信を行い、送信側のアンテナおよび受信側のアンテナの双方を切り替えて通信信号の送受信を行った場合の信号の流れを示す図である。
【００５３】
図４（ａ）は、送信側の通信信号の流れの概要を示す図である。通信制御部１６１ａから通信信号を送り、ダイバーシティ制御部１５１ａで電力測定信号を付加され送信部１４１ａに送られるのは図３（ａ）で説明したのと同様である。図４（ａ）では、電力測定信号の送信の際、図４（ａ）に示す送信アンテナ切換え線１００９ａにおける信号に示すようにアンテナを所定のタイミングで切換える。このようにすると送信側からは、電力測定信号をアンテナ１０１ａおよび１０２ａから送信することになる。
【００５４】
図４（ｂ）は、受信側での通信信号の流れの概要を示す図である。図３（ｂ）の場合と同様に送信側からの電力測定信号を受信する際、図４（ｂ）に示す受信アンテナ切換え線１０１０ｂのようにアンテナを所定のタイミングで切換える。具体的には所定の長さの電力測定信号をアンテナ１０１ｂに受信させた後アンテナを切換え、また所定の長さの電力測定信号をアンテナ１０２ｂに受信させ、その後さらにアンテナを切換え、所定の長さの電力測定信号をアンテナ１０１ｂに受信させる。
【００５５】
この場合、送信側のアンテナ１０１ａから送信された電力測定信号を受信側のアンテナ１０１ｂおよび１０２ｂで受信することになる。また、送信側のアンテナ１０２ａから送信された電力測定信号も受信側のアンテナ１０１ｂおよび１０２ｂで受信することになる。以上のようにして受信された電力測定信号は、ダイバーシティ制御部入力線１００４ｂを通じてダイバーシティ制御部１５１ｂの電力測定部２０７ｂへ供給され測定タイミング生成部２０５ｂで生成されたタイミングにしたがって電力測定が行われる。
【００５６】
電力測定においては、送信側のアンテナ１０１ａから送信された電力測定信号を受信側のアンテナ１０１ｂで受信した電力測定信号２１と、送信側のアンテナ１０１ａから送信された電力測定信号を受信側のアンテナ１０２ｂで受信した電力測定信号２２と、送信側のアンテナ１０２ａから送信された電力測定信号を受信側のアンテナ１０２ｂで受信した電力測定信号２３と、送信側のアンテナ１０２ａから送信された電力測定信号を受信側のアンテナ１０１ｂで受信した電力測定信号２４を用いて電力測定が行われる。電力測定において電力測定信号２１乃至電力測定信号２４のうち一番高い電力値を示した電力測定信号に対応するアンテナが、次の送受信において用いられるアンテナとなる。
【００５７】
なお、送信側および受信側におけるアンテナの切換えの所定のタイミングは、アンテナの数や電力測定信号の長さによって決定される。例えば、電力測定信号の長さをアンテナの数で割った分の長さの電力測定信号を１つのアンテナから送れるようなタイミングとすることが考えられる。この所定のタイミングはあらかじめ設定するようにしてもよいし、その時々の状況によって自動的に変わるようにしてもよい。
【００５８】
図５は、本発明の実施の形態における送受信装置１００を用いて通信信号の送受信を行い、受信側のアンテナのみを切り替えて通信信号の送受信を行った場合の信号の流れを示す図である。電力測定においては、アンテナ１０１ｂから受信した電力測定信号３１とアンテナ１０２ｂから受信した電力測定信号３２を用いた電力測定が行われる。図３の場合との相違点は、終端データ信号も電力測定に用いている点である。終端データ信号を用いることにより、電力測定信号を短くすることができるので通信における効率を上げることができる。その他の点は図３の説明と同様であるので省略する。
【００５９】
図６は、本発明の実施の形態における送受信装置１００を用いて通信信号の送受信を行い、送信側のアンテナおよび受信側のアンテナの双方を切り替えて通信信号の送受信を行った場合の信号の流れを示す図である。電力測定においては、送信側のアンテナ１０１ａから送信された電力測定信号を受信側のアンテナ１０１ｂで受信した電力測定信号４１と、送信側のアンテナ１０１ａから送信された電力測定信号を受信側のアンテナ１０２ｂで受信した電力測定信号４２と、送信側のアンテナ１０２ａから送信された電力測定信号を受信側のアンテナ１０２ｂで受信した電力測定信号４３と、送信側のアンテナ１０２ａから送信された電力測定信号を受信側のアンテナ１０１ｂで受信した電力測定信号４４を用いて電力測定が行われる。図４の場合との相違点は、終端データ信号も電力測定に用いている点である。終端データ信号を用いることにより、電力測定信号を短くすることができるので通信における効率を上げることができる。その他の点は図４の説明と同様であるので省略する。
【００６０】
図７は、本発明の実施の形態における送受信装置１００から通信信号を送信する際に行われる送受信装置１００内部でのやりとりの流れを示す図である。通信制御部１６１においてデータを送れる状態にある場合、通常、通信制御部１６１は通信信号を送る前にまず送信部１４１に通信信号の送信を開始したい旨の要求（以下、送信開始要求と呼ぶ。）を送信部１４１に行う。本発明の実施の形態においてはダイバーシティ制御部１５１があるので通信制御部１６１は、ダイバーシティ制御部入力線１００７を通じて送信開始要求５１１をダイバーシティ制御部１５１に送る。ダイバーシティ制御部１５１では、この送信開始要求５１１を特に何の処理もせず、そのまま送信開始要求５１２としてダイバーシティ制御部出力線１０１３を通じて送信部１４１に送る。
【００６１】
送信開始要求５１２を受け取った送信部１４１は、自身が通信信号を送信できる状態になった旨の通知（以下、送信開始通知と呼ぶ。）である送信開始通知５１３をダイバーシティ制御部入力線１０１１からダイバーシティ制御部１５１へ送る。ダイバーシティ制御部１５１では、この送信開始通知５１４を特に何の処理も行わず、そのまま送信開始通知５１４としてダイバーシティ制御部出力線１００６を通じて通信制御部１６１へ送る。
【００６２】
通信制御部１６１は、送信開始通知５１４を受け取った後にデータ信号をダイバーシティ制御部入力線１００７からダイバーシティ制御部１５１へ送る。通信信号を全て送り終わると通信制御部１６１は、送信部１４１が通信信号を全て送り終わったかどうかの返事の要求（以下、送信完了要求と呼ぶ。）を送信部１４１へ行う。通信制御部１６１は送信完了要求５１５を、ダイバーシティ制御部入力線１００７を通じてダイバーシティ制御部１５１に送る。ダイバーシティ制御部１５１でデータ信号の終端に電力測定信号が付加され、ダイバーシティ制御部１５１からダイバーシティ制御部出力線１００１を通じて送信部１４１に電力測定信号を含む通信信号が送られる。電力測定信号を含む通信信号の全てが送信部１４１に送られると、ダイバーシティ制御部１５１から送信完了要求５１６がダイバーシティ制御部出力線１０１３を通じて送信部１４１に送られる。つまり、本発明の実施の形態においてダイバーシティ制御部１５１は、通信制御部１６１からの送信完了要求を一定時間遅延させて送信部１４１に送ることになる。
【００６３】
送信部１４１において変調などの処理が行われトレーニングシンボル信号、ヘッダー信号、データ信号、電力測定信号の順に並んだ通信信号がプリアンブル信号、シグナル信号、データ信号、電力測定信号の順に並んだ通信信号に変換される。ここでトレーニングシンボルおよびプリアンブル信号とは、無線パケット信号の受信同期処理に必要な固定波形信号で、主としてフレーム送信の開始を認識させ、同期をとるタイミングを与える役割を果たす。ヘッダー信号およびシグナル信号は、主としてデータ信号の伝送速度およびとデータ信号のデータ長を含む信号をいう。
【００６４】
送信部１４１において電力測定信号の全てが供給されると通信信号の送信が完了した旨の通知（以下、送信完了通知と呼ぶ。）が通信制御部１６１へ行われる。本発明の実施の形態においては上述のようにダイバーシティ制御部１５１があるので、送信完了通知５１７が送信部１４１からダイバーシティ制御部入力線１０１１を通じてダイバーシティ制御部１５１に送られる。ダイバーシティ制御部１５１では、この送信完了通知５１７を特に何の処理も行わず、そのまま送信完了通知５１８としてダイバーシティ制御部出力線１００６を通じて通信制御部１６１へ送る。通信制御部１６１で送信完了通知５１８を受け取れば通信信号の送信が完了する。
【００６５】
通信信号の送信を行う際には以上説明したようなやりとりが行われ、通信信号の送信が確実に行われるようになっている。
【００６６】
図８は、本発明の実施の形態における送受信装置１００で通信信号を受信する際に行われる送受信装置１００内部でのやりとりの流れを示す図である。受信部入力線１００３からプリアンブル信号、シグナル信号、データ信号、電力測定信号の順に並んだ通信信号を受信する。通信信号を受信すると受信部１４２において復調などの処理をされ、ヘッダー信号、データ信号、電力測定信号の順に並んだ通信信号が１０１４を通じてダイバーシティ制御部１５１に送られる。
【００６７】
受信部１４２からデータ信号がダイバーシティ制御部１５１に送られる際にデータ信号を受信し始めた旨の通知（以下、受信開始通知と呼ぶ。）を受信部１４２は通信制御部１６１へ行う。本発明の実施の形態においては上述のようにダイバーシティ制御部１５１があるので、受信開始通知５３１が受信部１４２からダイバーシティ制御部入力線１０１２を通じてダイバーシティ制御部１５１へ送られる。ダイバーシティ制御部１５１では、この受信開始通知５３１を特に何の処理も行わず、そのまま受信開始通知５３２としてダイバーシティ制御部出力線１００６を通じて通信制御部１６１へ送る。
【００６８】
また、受信部１４２から全て電力測定信号がダイバーシティ制御部１５１に送られると受信部１４２は、受信完了通知を通信制御部１６１へ行う。本発明の実施の形態においてはダイバーシティ制御部１５１があるので、受信完了通知５３３が受信部１４２からダイバーシティ制御部入力線１０１２を通じてダイバーシティ制御部１５１へ送られる。
【００６９】
ダイバーシティ制御部１５１では、この受信完了通知５３３を特に何の処理も行わず、そのまま受信完了通知５３４としてダイバーシティ制御部出力線１００６を通じて通信制御部１６１へ送る。通信制御部１６１で受信完了通知５３４を受け取れば通信信号の受信が完了する。従来はデータ信号の受信が完了した後に受信完了通知を出していたが、本発明の実施の形態においては、電力測定信号の受信も完了した後に受信完了通知を出す。
【００７０】
通信信号の受信を行う際には以上説明したようなやりとりが行われ、通信信号の受信が確実に行われるようになっている。
【００７１】
図９は、本発明の実施の形態における電力測定の開始のタイミングを示す図である。なお、図９においては、図４で説明したように送信側のアンテナと受信側のアンテナの切換えが行われたものとする。送信側の通信制御部１６１ａから出力されたデータ信号は、ダイバーシティ制御部１５１ａで電力測定信号を付加され送信部１４１ａに送信される。送信部１４１ａにおいて、データ信号および電力測定信号は変調など所定の処理をされ、プリアンブル信号、シグナル信号、データ信号、電力測定信号の順に並んだ通信信号が生成される。
【００７２】
上記のような構造を持つ通信信号が送信側から送信され、受信側で受信される。受信側では、この受信した通信信号に対して復調前処理部２１１ｂにおいて所定の処理を行う。この所定の処理をされた通信信号は、復調部２１２ｂおよび電力測定部２０７ｂに供給される。復調部２１２ｂへ供給された通信信号は、復調などの処理が行われ、ヘッダー信号、データ信号、電力測定信号の順に並んだ構造の通信信号になる。この通信信号がダイバーシティ制御部入力線１０１４ｂを通じて測定タイミング生成部２０５ｂおよび電力測定信号破棄部２０６ｂに供給される。
【００７３】
測定タイミング生成部２０５ｂは、図９に示したヘッダーに含まれる情報に基づいて電力測定開始のタイミングを生成しそのタイミングを受信アンテナ切り換え指示部２０４ｂおよび電力測定部２０７ｂに送る。図９において電力測定開始時間は、測定タイミング生成部２０５ｂにデータ信号の終端が供給されるタイミングである。ヘッダー中には、データ信号の長さや通信速度などのデータ信号に関する制御情報が含まれている。このデータ信号の長さや通信速度などから測定タイミング生成部２０５ｂにデータ信号の終端が供給されるタイミングは生成可能である。受信アンテナ切り換え指示部２０４ｂは、この通知を受け取るとアンテナの切り替え指示を開始し、２つのアンテナで受信された電力測定信号が電力測定部２０７ｂに供給される。電力測定部２０７ｂは、測定タイミング生成部２０５ｂで生成されたタイミングにしたがって電力測定を開始する。
【００７４】
なお、電力測定部２０７ｂに供給される通信信号は復調処理を行っていない分、測定タイミング生成部２０５ｂに供給される通信信号よりも早く供給される。すなわち、本発明の実施の形態においては電力測定部２０７ｂに入力される通信信号は復調処理を行っていないので処理における遅延がない。このため、受信部１４２ｂに入力される通信信号と電力測定部２０７ｂに入力される通信信号はほぼ同時に入力されると考えてよい。一方、測定タイミング生成部２０５ｂに入力される通信信号は復調部２１３ｂでの処理の分、遅延が発生する。このため、電力測定開始のタイミングを上記のように想定した場合、測定タイミング生成部２０５ｂにデータ信号の終端が供給されるタイミングにおいて電力測定部２０７ｂへ供給される通信信号は既に電力測定部２０７ｂを通過してしまっていることも想定される。したがって、このようなことを考慮に入れて送信側においてデータ信号に付加する電力測定信号の長さを決定する必要がある。これは、アンテナ数、信号の変調方式、電力測定の開始タイミングなどを考慮して決定される。
【００７５】
電力測定においては、送信側のアンテナ１０１ａから送信された電力測定信号を受信側のアンテナ１０１ｂで受信した電力測定信号５１と、送信側のアンテナ１０１ａから送信された電力測定信号を受信側のアンテナ１０２ｂで受信した電力測定信号５２と、送信側のアンテナ１０２ａから送信された電力測定信号を受信側のアンテナ１０２ｂで受信した電力測定信号５３と、送信側のアンテナ１０２ａから送信された電力測定信号を受信側のアンテナ１０１ｂで受信した電力測定信号５４を用いて電力測定が行われる。電力測定において電力測定信号５１乃至電力測定信号５４の電力値のうち一番高い電力値を示した電力測定信号に対応するアンテナが、次の送受信において用いられるアンテナとなる。
【００７６】
図１０は、本発明の実施の形態における図９とは別の電力測定の開始のタイミングを示す図である。図１０においても図４で説明したように送信側のアンテナと受信側のアンテナの切換えが行われたものとする。また送信側については図９と同様の動作になるので説明を省略する。
【００７７】
図９の場合は、測定タイミング生成部２０５ｂにデータ信号の終端が供給されるのとほぼ同時に電力測定が行われていたが、図１０に示す本発明の実施の形態においては、電力測定の開始のタイミングは電力測定部２０７ｂに電力測定信号が入力されるのとほぼ同時である。図１０においては、受信部入力線１００３ｂに電力測定信号が入力されるのとほぼ同時に電力測定が開始されている。上記電力測定が行われるタイミングは、図１０に示すヘッダーに含まれる情報に基づいて測定タイミング生成部２０５ｂで生成され、電力測定部２０７ｂに通知される。ヘッダー中には、データ信号の長さや通信速度などのデータ信号に関する制御情報が含まれている。このデータ信号の長さや通信速度などから電力測定部２０７ｂに電力測定信号が入力されるタイミングを算出でき、この算出結果に基づいて電力測定部２０７ｂに電力の測定を開始すべきタイミングが測定タイミング生成部２０５ｂから通知される。電力測定部２０７ｂは、この通知を受けると電力測定を開始する。
【００７８】
電力測定においては、送信側のアンテナ１０１ａから送信された電力測定信号を受信側のアンテナ１０１ｂで受信した電力測定信号６１と、送信側のアンテナ１０１ａから送信された電力測定信号を受信側のアンテナ１０２ｂで受信した電力測定信号６２と、送信側のアンテナ１０２ａから送信された電力測定信号を受信側のアンテナ１０２ｂで受信した電力測定信号６３と、送信側のアンテナ１０２ａから送信された電力測定信号を受信側のアンテナ１０１ｂで受信した電力測定信号６４を用いて電力測定が行われる。電力測定において電力測定信号６１乃至電力測定信号６４の電力値のうち一番高い電力値を示した電力測定信号に対応するアンテナが、次の送受信において用いられるアンテナとなる。
【００７９】
図１１は、本発明の実施の形態において電力測定の開始のタイミングを示す図であり、電力の測定に終端データ信号も含めた場合を示す図である。動作は図１０の場合と同じであるので説明は省略する。相違点は、電力を測定する開始のタイミングである。図１０の場合は、電力測定信号のみを電力の測定に用いていたので電力の測定の開始のタイミングは電力測定部２０７ｂに電力測定信号が入力されたのとほぼ同時であったが、図１１の場合は電力測定信号の他に終端データ信号をも電力の測定に用いているので、電力測定の開始のタイミングは終端データ信号の先頭部分が電力測定部２０７ｂに入力されるのとほぼ同時になっている。
【００８０】
この電力測定の開始のタイミングは、図１０で説明したのと同様にヘッダーに含まれる情報に基づいて測定タイミング生成部２０５ｂで算出され、電力測定部２０７ｂに通知される。なお、図１０と違って図１１においては終端データ信号の分も考慮してヘッダー中のデータ信号の長さ、通信速度などから算出される。
【００８１】
電力測定においては、送信側のアンテナ１０１ａから送信された電力測定信号を受信側のアンテナ１０１ｂで受信した電力測定信号７１と、送信側のアンテナ１０１ａから送信された電力測定信号を受信側のアンテナ１０２ｂで受信した電力測定信号７２と、送信側のアンテナ１０２ａから送信された電力測定信号を受信側のアンテナ１０２ｂで受信した電力測定信号７３と、送信側のアンテナ１０２ａから送信された電力測定信号を受信側のアンテナ１０１ｂで受信した電力測定信号７４を用いて電力測定が行われる。電力測定において電力測定信号７１乃至電力測定信号７４の電力値のうち一番高い電力値を示した電力測定信号に対応するアンテナが、次の送受信において用いられるアンテナとなる。
【００８２】
図１２は、電力測定開始のタイミングが図１１で説明したタイミングの場合における本発明の実施の形態における受信側の送受信装置１００での内部のやりとりを示す図である。受信開始通知は図８で説明したのと同様であるので説明を省略する。受信完了通知については図８とは相違する。図１１の場合は電力測定が早く終了するので電力測定信号７４の測定終了時点においてまだ受信部１４２からデータ信号の終端が出力されていないことも想定される。以下、電力測定の終了時点で受信部１４２からデータ信号の終端が出力されていない場合の処理について説明する。
【００８３】
受信処理終了部２１３は、電力測定部２０７から電力測定終了の通知を受けるとデータ信号の終端が受信部１４２からダイバーシティ制御部入力線１０１４を通じて出力されるタイミングを生成し、そのタイミングを受信完了通知発行部２０９へ通知する。この通知を受けて受信完了通知発行部２０９は受信完了通知５４３を発行する。データ信号の終端が受信部１４２から出力されるタイミング以降は、データ信号の終端に付加された電力測定信号は受信する必要がないので受信処理を打ち切るよう復調部２１２に指示を送る。これを受けて復調部２１２は受信処理を打ち切る。このことを示すため、図１２のダイバーシティ制御部入力線１０１４において電力測定信号は図示されていない。
【００８４】
受信完了通知５４３はダイバーシティ制御部１５１において特に何の処理も行われず、ダイバーシティ制御部出力線１００６を通じて受信完了通知５４４として通信制御部１６１ｂに送られる。これにより受信側における受信処理は終了する。
【００８５】
図８においては電力測定信号の受信処理を終えてから受信完了通知を出すが図１２では電力測定信号の受信処理を打ち切って受信完了通知を行うので送信側が既にＡＣＫ受信待ちになっている場合、早く送信側にＡＣＫ送信を行うことができるので、電力測定信号を付加していない場合と同様の伝送速度で通信を行えることになる。
【００８６】
次に本発明の実施の形態における通信信号の送信および受信動作について図面を参照して説明する。
【００８７】
図１３は、本発明の実施の形態における通信信号の送信の流れを示す図である。まず、通信信号の送信に用いるアンテナを選択する（Ｓ９１１）。送信に用いるアンテナの選択は、直前に送信した通信信号を用いて行われた電力測定の結果に基づいて受信側で決定された送信アンテナ決定にしたがって行われる。送信に用いられるアンテナが決定したら、データ信号の送信が開始される（Ｓ９１２）。
【００８８】
次にデータ信号の終端がどのタイミングで供給されるかの供給タイミングが生成される（Ｓ９１３）。このデータ信号の終端のタイミングについては、通信信号中に含まれるデータ信号に関する制御情報から判断される。具体的には、データ信号の長さ、通信速度などからデータの終端が判断される。供給タイミングが生成されるとその旨の通知がされる（Ｓ９１４）。この通知を受けてデータ信号の終端に所定の長さの電力測定信号が付加され送信される（Ｓ９１５）。この所定の長さは、電力の測定に電力測定信号のみを用いるか、または電力測定信号の他に終端データ信号も電力の測定に用いるかで変わってくる。所定の長さを決定する上での一般的な要因については上記で説明済みなので省略する。
【００８９】
上記供給タイミングについての通知が行われると所定のタイミングでアンテナが切り替えられる（Ｓ９１６）。このアンテナの切換えは送信側のアンテナの本数および電力測定信号の長さによって取り決められる。電力測定信号が全て送信されると（Ｓ９１７）、送信動作終了である（Ｓ９１８）。次のデータ信号送信においても以上のステップＳ９１１乃至ステップＳ９１８にしたがって行われる。
【００９０】
図１４は、本発明の実施の形態における通信信号の受信の流れを示す図である。まず、２以上のアンテナから受信に用いるできアンテナを選択する（Ｓ９２１）。受信に用いるアンテナの選択は、直前に受信した通信信号を用いて行った電力測定の結果に基づいて決定された受信アンテナ決定にしたがって行われる。受信に用いるアンテナが決定したら通信信号の受信が開始される（Ｓ９２２）。通信信号の受信が開始されると電力測定を開始するタイミングが生成される（Ｓ９２３）。前述のように電力測定に用いられる信号は電力測定信号のみの場合もあるし、終端データ信号をも電力の測定に用いる場合もある。
【００９１】
電力測定を開始するタイミングに基づいてアンテナ切換え処理が開始される（Ｓ９２４）。アンテナの切換えは、所定のタイミングで行われる。所定のタイミングについては上述したようにアンテナの数や電力測定信号の長さによって決定される。次にステップＳ９２３において生成された電力測定を開始するタイミングに基づいて電力測定が行われる（Ｓ９２５）。この電力測定の開始のタイミングは、例えば図９、図１０および図１１で説明したようなタイミングがある。これらについては既に説明したので説明を省略する。
【００９２】
また、データ信号の終端が電力測定信号破棄部２０６に供給されるタイミングで電力測定信号破棄部２０６に供給された通信信号中の電力測定信号を破棄する（Ｓ９２６）。電力の測定が終了するとその測定結果に基づいて送信側において次の送信に用いるべきアンテナおよび受信側において次の受信において用いるべきアンテナが決定され、送信側と受信側においてその決定が次の送受信において反映される（Ｓ９２７）。
【００９３】
図１５は、本発明の別の実施の形態における送受信装置７００の構成の一例を示す図である。送受信装置７００は、アンテナ７０１および７０２と、サーキュレータ７２１と、アンテナ切換えスイッチ７３１と、送信部７４１と、受信部７４２と、ダイバーシティ制御部７５１と、通信制御部７６１と、端末装置７７１とを備える。図１に示す本発明の実施の形態における送受信装置１００と同一名称の部分については役割、機能はほぼ同じなので説明は省略する。
【００９４】
アンテナ７０１および７０２で捕らえた通信信号をアンテナ切換えスイッチ７３１に送る。また、アンテナ切換えスイッチ７３１から送られてきた通信信号を空間に放射する。アンテナ切換えスイッチ７３１は、端子７３２および７３３のどちらか一方を選択することによってサーキュレータ７２１から送られてきた通信信号をアンテナ７０１および７０２へ送る。またアンテナ切換えスイッチ７３１は、アンテナ７０１および７０２から送られてきた通信信号をサーキュレータ７２１に送る。サーキュレータ７２１は、アンテナ切換えスイッチ７３１から送られてきた通信信号を受信部７４２に送る。また、サーキュレータ７２１は、送信部７４１から送られてきた通信信号をアンテナ切換えスイッチ７３１に送る。
【００９５】
送信部７４１、受信部７４２および通信制御部７６１については図１で説明した本発明の実施の形態における送受信装置１００における場合と同じなので説明を省略する。ダイバーシティ制御部７５１については、図２において送信アンテナの切換え指示と受信アンテナの切換え指示を一つのアンテナ切換え線７００１において行っている点が図１と相違する。その他の信号線については符号を図示していないが図１と同様なので省略する。
【００９６】
本発明の別の実施の形態におけるダイバーシティ制御部７５１の構成によれば、本発明の実施の形態におけるダイバーシティ制御部１５１の構成のよりも簡易な構成で同じ効果を得ることが可能である。
【００９７】
以上、本発明の実施の形態をアンテナが２本の場合を例にして説明したがアンテナの数が２つ以上であっても以上のことは適用可能である。
【００９８】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００９９】
すなわち、請求項１において、送信終端タイミング生成手段は、例えば送信終端タイミング生成部２０１に対応する。また、電力測定信号付加手段は、例えば電力測定信号付加部２０２に対応する。
【０１００】
また、請求項２において、アンテナは、例えばアンテナ１０１、１０２、７０１および７０２に対応する。また、送信アンテナ切換え指示手段は、例えば送信アンテナ切換え指示部２０３に対応する。また送信アンテナ切換え手段は、例えばアンテナ切換えスイッチ１３１および７３１に対応する。
【０１０１】
また、請求項３において、送信アンテナ決定手段は、例えば送受信アンテナ決定部２０８に対応する。
【０１０２】
また、請求項４において、アンテナは、例えばアンテナ１０１、１０２、７０１および７０２に対応する。また、受信アンテナ切換え指示手段は、例えば受信アンテナ切換え指示部２０４に対応する。また、受信アンテナ切換え手段は、例えばアンテナ切換えスイッチ１３５および７３５に対応する。また、電力測定手段は、電力測定部２０７に対応する。また、測定タイミング生成手段は、例えば測定タイミング生成部２０５に対応する。また、受信アンテナ決定手段は、例えば送受信アンテナ決定部２０８に対応する。
【０１０３】
また、請求項７において、電力測定信号破棄手段は、例えば電力測定信号破棄部２０６に対応する。
【０１０４】
また請求項８において、復調手段は、例えば復調部２１２に対応する。
【０１０５】
また、請求項１１において、受信処理終了手段は、例えば受信処理終了部２１３に対応する。また、受信完了通知発行手段は、例えば受信完了通知発行部２０９に対応する。
【０１０６】
また、請求項１２において、送信アンテナ決定手段は、例えば送受信アンテナ決定部２０８対応する。
【０１０７】
また、請求項１３において、電力測定信号付加手段は、例えば電力測定信号付加部２０２に対応する。また、送信終端タイミング生成手段は、例えば送信終端タイミング生成部２０１に対応する。また、アンテナは、例えばアンテナ１０１、１０２、７０１および７０２に対応する。また、受信アンテナ切換え指示手段は、例えば受信アンテナ切換え指示部２０４に対応する。また、受信アンテナ切換え手段は、例えばアンテナ切換えスイッチ１３５および７３５に対応する。また、電力測定手段は、例えば電力測定部２０７に対応する。また、測定タイミング生成手段は、例えば測定タイミング生成部２０５に対応する。また、受信アンテナ決定手段は、例えば送受信アンテナ決定部２０８に対応する。
【０１０８】
また、請求項１４において、送信終端タイミング生成手順は、例えばステップＳ９１３およびステップＳ９１４に対応する。また、電力測定信号付加手順は、例えばステップＳ９１５に対応する。
【０１０９】
また、請求項１５において、受信アンテナ切換え手順は、例えばステップＳ９２４に対応する。また、電力測定手順は、例えばステップ９２５に対応する。また、受信アンテナ決定手順は、例えばステップ９２７に対応する。また、測定タイミング生成手順は、例えばステップＳ９２３に対応する。また、受信アンテナ決定手順は、例えばステップＳ９２７に対応する。
【０１１０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１１１】
【図１】本発明の実施の形態における送受信装置１００の構成の一例を示す図である。
【図２】本発明の実施の形態における送受信装置１００の受信部１４２とダイバーシティ制御部１５１の機能構成の一例を示す図である。
【図３】本発明の実施の形態における送受信装置１００を用いて通信信号の送受信を行い、受信側のアンテナのみを切り替えて通信信号の送受信を行った場合の通信信号の流れを示す図である。
【図４】本発明の実施の形態における送受信装置１００を用いて通信信号の送受信を行い、送信側のアンテナおよび受信側のアンテナの双方を切り替えて通信信号の送受信を行った場合の信号の流れを示す図である。
【図５】本発明の実施の形態における送受信装置１００を用いて通信信号の送受信を行い、受信側のアンテナのみを切り替えて通信信号の送受信を行った場合の信号の流れを示す図である。
【図６】本発明の実施の形態における送受信装置１００を用いて通信信号の送受信を行い、送信側のアンテナおよび受信側のアンテナの双方を切り替えて通信信号の送受信を行った場合の信号の流れを示す図である。
【図７】本発明の実施の形態における送受信装置１００から通信信号を送信する際に行われる送受信装置１００内部でのやりとりの流れを示す図である。
【図８】本発明の実施の形態における送受信装置１００で通信信号を受信する際に行われる送受信装置１００内部でのやりとりの流れを示す図である。
【図９】本発明の実施の形態における電力測定の開始のタイミングを示す図である。
【図１０】本発明の実施の形態における図９とは別の電力測定の開始のタイミングを示す図である。
【図１１】本発明の実施の形態における図９および図１０とは別の電力測定の開始のタイミングを示す図であり、電力の測定に終端データ信号も含めた場合を示す図である。
【図１２】電力測定開始のタイミングが図１１で説明したタイミングの場合における本発明の実施の形態における受信側の送受信装置１００での内部のやりとりを示す図である。
【図１３】本発明の実施の形態における通信信号の送信までの流れを示す図である。
【図１４】本発明の実施の形態における通信信号の受信における流れを示す図である。
【図１５】本発明の別の実施の形態における送受信装置７００の構成の一例を示す図である。
【符号の説明】
【０１１２】
１００  送受信装置
１０１、１０２  アンテナ
１２１、１２２  サーキュレータ
１３１、１３５  アンテナ切り換えスイッチ
１４１  送信部
１４２  受信部
１５１  ダーバーシティ制御部
１６１  通信制御部
１７１  端末装置
２０１  送信終端タイミング生成部
２０２  電力測定信号付加部
２０３  送信アンテナ切り換え指示部
２０４  受信アンテナ切り換え指示部
２０５  測定タイミング生成部
２０６  電力測定信号破棄部
２０７  電力測定部
２０８  送受信アンテナ決定部
２０９  受信完了通知発行部
２１１  復調前処理部
２１２  復調部
２１３  受信処理終了部
【図１】
2006287820.tif 000003
【図２】
2006287820.tif 000004
【図３】
2006287820.tif 000005
【図４】
2006287820.tif 000006
【図５】
2006287820.tif 000007
【図６】
2006287820.tif 000008
【図７】
2006287820.tif 000009
【図８】
2006287820.tif 000010
【図９】
2006287820.tif 000011
【図１０】
2006287820.tif 000012
【図１１】
2006287820.tif 000013
【図１２】
2006287820.tif 000014
【図１３】
2006287820.tif 000015
【図１４】
2006287820.tif 000016
【図１５】
2006287820.tif 000017